(57)【要約】【課題】後方面材又は天面材とスポイラー型本体との間の空間を拡大でき、例えば収納箱の内部又は外表面の清掃を行いやすい塵芥収集車を提供すること。【解決手段】本発明の塵芥収集車１は、収容箱１０の後部に投入箱２０を有し、投入箱２０が空間内に、塵芥を収容箱１０に導く積み込み手段２６を備え、後方面材２２又は天面材２４の外方にスポイラー型部材３０を配置し、スポイラー型部材３０が、後方面材２２又は天面材２４に対向する位置に配置するスポイラー型本体３１と、スポイラー型本体３１の両端に設けた側面接続部３２とからなり、スポイラー型本体３１を一対の側面接続部３２によって側面材２３の外方又は内方に取り付け、スポイラー型部材３０又はスポイラー型本体３１の少なくとも一部を、後部扉２１から離間する方向に回動するスポイラー回転軸３３を設けたことを特徴とすることを特徴とする。【選択図】      図１
2017206369.tif 000002
【特許請求の範囲】
【請求項１】
収容箱の後部に投入箱を有し、
前記投入箱が、後部扉を有する後方面材、一対の側面材、天面材、及び底面材で囲まれる空間内に、塵芥を前記収容箱に導く積み込み手段を備え、
前記後方面材又は前記天面材の外方にスポイラー型部材を配置し、
前記スポイラー型部材が、前記後方面材又は前記天面材に対向する位置に配置するスポイラー型本体と、前記スポイラー型本体の両端に設けた側面接続部とからなり、
前記スポイラー型本体を一対の前記側面接続部によって前記側面材の外方又は内方に取り付けた塵芥収集車であって、
前記スポイラー型部材又は前記スポイラー型本体の少なくとも一部を、前記後部扉から離間する方向に回動するスポイラー回転軸を設けたことを特徴とする塵芥収集車。
【請求項２】
前記後部扉より上方、前記後部扉の上部、前記天面材の下方、又は前記天面材の一部に点検カバーを有し、
前記スポイラー型本体の前記後方面材側又は前記天面材側に、前記点検カバーが位置することを特徴とする請求項１に記載の塵芥収集車。
【請求項３】
前記点検カバーが、上方点検カバーと下方点検カバーとからなり、
前記上方点検カバーの上部両端を、前記後方面材又は前記天面材に対して回動可能に設け、
前記上方点検カバーの下部と前記下方点検カバーの上部とを回動可能に設け、
前記点検カバーが開いた状態では、前記上方点検カバーの前記下部と前記下方点検カバーの前記上部とが、前記後方面材又は前記天面材から離間するように突出することを特徴とする請求項２に記載の塵芥収集車。
【請求項４】
前記スポイラー型本体と前記側面接続部とをスポイラー取付枠で保持し、
前記スポイラー取付枠の両端を、前記スポイラー回転軸によって、前記側面材に回動自在に設けたことを特徴とする請求項１から請求項３のいずれかに記載の塵芥収集車。
【発明の詳細な説明】
【技術分野】
【０００１】
本発明は、収容箱の後部に投入箱を有する塵芥収集車に関する。
【背景技術】
【０００２】
塵芥収集車においては、塵芥投入作業時など車両後方で作業を行っている時に、後続車からの視認性を良くするために、テールランプ等の表示機器を車両後方上部に配置したものが知られている。例えば、特許文献１には、塵芥投入箱本体の後面上部カバーにテールランプを備えた塵芥収集車が開示されている。
また、特許文献２には、車両後方に配置しようとする表示機器等の種類や大きさに対する制約を少なくし、後方からの視認性を向上させたスポイラー型部材を備えた塵芥収集車が開示されている。
【先行技術文献】
【特許文献】
【０００３】
【特許文献１】特開２００８−２８５３１７号公報
【特許文献２】特開２０１５−１０５１６８号公報
【発明の概要】
【発明が解決しようとする課題】
【０００４】
しかしながら、特許文献１に記載の塵芥収集車においては、テールランプが後面上部カバー自体に設けられているため、配置しようとする表示機器等の種類、位置、及び大きさに対する制約が大きい。
一方、特許文献２に記載の塵芥収集車においては、後方からの視認性に優れるが、スポイラー型部材を天面材に近接させているため、スポイラー型部材によって例えば収納箱の内部や外表面の清掃作業が制約を受ける場合がある。
【０００５】
本発明は、後方面材又は天面材とスポイラー型本体との間の空間を拡大でき、例えば収納箱の内部又は外表面の清掃を行いやすい塵芥収集車を提供することを目的とする。
【課題を解決するための手段】
【０００６】
請求項１記載の本発明の塵芥収集車は、収容箱の後部に投入箱を有し、前記投入箱が、後部扉を有する後方面材、一対の側面材、天面材、及び底面材で囲まれる空間内に、塵芥を前記収容箱に導く積み込み手段を備え、前記後方面材又は前記天面材の外方にスポイラー型部材を配置し、前記スポイラー型部材が、前記後方面材又は前記天面材に対向する位置に配置するスポイラー型本体と、前記スポイラー型本体の両端に設けた側面接続部とからなり、前記スポイラー型本体を一対の前記側面接続部によって前記側面材の外方又は内方に取り付けた塵芥収集車であって、前記スポイラー型部材又は前記スポイラー型本体の少なくとも一部を、前記後部扉から離間する方向に回動するスポイラー回転軸を設けたことを特徴とする。
請求項２記載の本発明は、請求項１に記載の塵芥収集車において、前記後部扉より上方、前記後部扉の上部、前記天面材の下方、又は前記天面材の一部に点検カバーを有し、前記スポイラー型本体の前記後方面材側又は前記天面材側に、前記点検カバーが位置することを特徴とする。
請求項３記載の本発明は、請求項２に記載の塵芥収集車において、前記点検カバーが、上方点検カバーと下方点検カバーとからなり、前記上方点検カバーの上部両端を、前記後方面材又は前記天面材に対して回動可能に設け、前記上方点検カバーの下部と前記下方点検カバーの上部とを回動可能に設け、前記点検カバーが開いた状態では、前記上方点検カバーの前記下部と前記下方点検カバーの前記上部とが、前記後方面材又は前記天面材から離間するように突出することを特徴とする。
請求項４記載の本発明は、請求項１から請求項３のいずれかに記載の塵芥収集車において、前記スポイラー型本体と前記側面接続部とをスポイラー取付枠で保持し、前記スポイラー取付枠の両端を、前記スポイラー回転軸によって、前記側面材に回動自在に設けたことを特徴とする。
【発明の効果】
【０００７】
本発明の塵芥収集車によれば、後方面材又は天面材とスポイラー型本体との間の空間を拡大でき、例えば収納箱の内部又は外表面の清掃を行いやすい。
【図面の簡単な説明】
【０００８】
【図１】本実施例による塵芥収集車の一部を破断した側面図
【図２】同塵芥収集車の一部を破断した上面図
【図３】同塵芥収集車の一部を破断した後面図
【図４】（ａ）同塵芥収集車の一部を破断した要部拡大側面図、（ｂ）同塵芥収集車の一部を破断した要部拡大後面図
【図５】同塵芥収集車の開閉機構の動作を示す図４（ａ）相当図
【図６】同塵芥収集車の開閉機構の動作を示す図４（ａ）相当図
【図７】同塵芥収集車の開閉機構の動作を示す図４（ａ）相当図
【図８】同塵芥収集車の開閉機構の動作を示す図４（ａ）相当図
【図９】同塵芥収集車の点検カバーの動作を示す要部側面図
【発明を実施するための形態】
【０００９】
本発明の第１の実施の形態による塵芥収集車は、スポイラー型部材又はスポイラー型本体の少なくとも一部を、後部扉から離間する方向に回動するスポイラー回転軸を設けたものである。本実施の形態によれば、スポイラー型部材又はスポイラー型本体の少なくとも一部を、後部扉から離間する方向に回動できるので、後方面材又は天面材とスポイラー型本体との間の空間を拡大でき、例えば収納箱の内部又は外表面の清掃を行いやすい。
【００１０】
本発明の第２の実施の形態は、第１の実施の形態による塵芥収集車において、後部扉より上方、後部扉の上部、天面材の下方、又は天面材の一部に点検カバーを有し、スポイラー型本体の後方面材側又は天面材側に、点検カバーが位置するものである。本実施の形態によれば、スポイラー型本体の少なくとも一部を、後部扉から離間する方向に回動できるので、点検カバーの操作や、点検カバーを開いた状態で行う収納箱の内部点検を容易に行える。
【００１１】
本発明の第３の実施の形態は、第２の実施の形態による塵芥収集車において、点検カバーが、上方点検カバーと下方点検カバーとからなり、上方点検カバーの上部両端を、後方面材又は天面材に対して回動可能に設け、上方点検カバーの下部と下方点検カバーの上部とを回動可能に設け、点検カバーが開いた状態では、上方点検カバーの下部と下方点検カバーの上部とが、後方面材又は天面材から離間するように突出するものである。本実施の形態によれば、点検カバーを上方点検カバーと下方点検カバーとで構成し、点検カバーが開いた状態では、上方点検カバーの下部と下方点検カバーの上部とが後方面材又は天面材から離間することで、点検カバーの開状態での突出寸法を小さくでき、従って、後方面材又は天面材とスポイラー型本体との間隔が狭くても点検カバーを開閉できる。
【００１２】
本発明の第４の実施の形態は、第１から第３のいずれかの実施の形態による塵芥収集車において、スポイラー型本体と側面接続部とをスポイラー取付枠で保持し、スポイラー取付枠の両端を、スポイラー回転軸によって、側面材に回動自在に設けたものである。本実施の形態によれば、幅広い空間を形成できる。
【実施例】
【００１３】
以下本発明の一実施例による塵芥収集車について説明する。
図１は本実施例による塵芥収集車の一部を破断した側面図、図２は同塵芥収集車の一部を破断した上面図、図３は同塵芥収集車の一部を破断した後面図である。
【００１４】
本実施例による塵芥収集車１は、塵芥を収容する収容箱１０と、収容箱１０の後部に装着する投入箱２０とを有している。
投入箱２０は、後部扉２１及び点検カバー２８を有する後方面材２２、一対の側面材２３、天面材２４、及び底面材２５で囲まれる空間内に、塵芥を収容箱１０に導く積み込み手段２６を備えている。後部扉２１及び後方面材２２は、下端が最も後方となり、上端が最も前方となるように湾曲している。なお、本実施例において、前方は塵芥収集車１のキャビン側を指している。
本実施例による塵芥収集車１は、回転式塵芥収集車を示しており、積み込み手段２６は、押し込み板や回転板で構成されている。
【００１５】
一対の側面材２３は、それぞれの側面材２３の外方をサイドカバー２７で覆われている。
本実施例による塵芥収集車１は、後方面材２２の外方にスポイラー型部材３０を配置している。
後部扉２１には、後部扉２１の開閉時に用いる取手部２１ａを有している。後部扉２１は、上端部両端を一対のアームによって支持され、下端部両端を後方面材２２の開口両側に配置した一対のレールによって支持されている。
後部扉２１より上方には、点検カバー２８を設けている。点検カバー２８は、スポイラー型本体３１の後方面材２２側に位置する。なお、点検カバー２８は、後部扉２１の上部、天面材２４の下方、又は天面材２４の一部に設けてもよい。点検カバー２８は、天面材２４の一部に設けた場合には、スポイラー型本体３１の天面材２４側に位置する。点検カバー２８には、点検カバー２８の開閉時に用いる取手部２８ａを有している。
【００１６】
スポイラー型部材３０は、後方面材２２に対向する位置に配置するスポイラー型本体３１と、スポイラー型本体３１の両端に設けた側面接続部３２と、両端にスポイラー回転軸３３を備えたスポイラー取付枠３４とからなる。
スポイラー型本体３１と側面接続部３２とは、スポイラー取付枠３４で保持されている。スポイラー取付枠３４の両端は、スポイラー回転軸３３によって、側面材２３に回動自在に設けている。従って、スポイラー回転軸３３を支点として、スポイラー型本体３１と側面接続部３２とは回動できるため、後方面材２２とスポイラー型本体３１との間で広い空間を形成できる。
本実施例では、スポイラー型部材３０を後部扉２１から離間する方向に回動する構成を示しているが、スポイラー回転軸３３を、例えば側面接続部３２に設けることで、スポイラー型本体３１を、後部扉２１から離間する方向に回動する構成とすることができる。また、スポイラー型本体３１を、例えば中央部と両側部とに３分割し、スポイラー回転軸３３を、スポイラー型本体３１の中央部の両側に設けることで、スポイラー型本体３１の少なくとも一部、すなわちスポイラー型本体３１の中央部を、後部扉２１から離間する方向に回動する構成とすることができる。
ここで、後部扉２１から離間する方向とは、スポイラー型部材３０の回動後におけるスポイラー型部材３０と後部扉２１との最短距離が、実質的にスポイラー型部材３０の回動前におけるスポイラー型部材３０と後部扉２１との最短距離よりも離れていればよく、本実施例では、スポイラー型本体３１は上方に移動することで後部扉２１から離間する。
【００１７】
スポイラー型部材３０には、テールランプ、作業表示灯、又はライセンスプレートなどの表示機器や、後方を撮像する撮像部を設けている。表示機器や撮像部は、スポイラー型本体３１に設けることが好ましい。
図２及び図３に示すように、スポイラー型部材３０は、後方面材２２又は後部扉２１よりも後方に突出しないことが好ましい。
このように、スポイラー型部材３０又はスポイラー型本体３１の少なくとも一部を、後部扉２１から離間する方向に回動することで、後方面材２２又は天面材２４とスポイラー型本体３１との間の空間を拡大でき、例えば収納箱２０の内部又は外表面の清掃を行いやすい。
【００１８】
図４（ａ）は同塵芥収集車の一部を破断した要部拡大側面図、図４（ｂ）は同塵芥収集車の一部を破断した要部拡大後面図である。
図４を用いて、スポイラー型部材３０の開閉機構を説明する。
スポイラー回転軸３３から所定距離離れたスポイラー取付枠３４のそれぞれの側部には、スポイラー側取付部材４１を設けている。また、投入箱２０のそれぞれの側面材２３には、箱側取付部材４２を設けている。箱側取付部材４２には、後方に延びる延長部材４３を設けている。
延長部材４３の後方側端部には、第１回動支点４０ａを設けている。第１リンク材４４ａの一端には、第１回動支点４０ａを設けている。第１リンク材４４ａの他端には、第２回動支点４０ｂを設けている。開閉レバー４５の一端には、第２回動支点４０ｂを設けている。第２リンク材４４ｂの一端には、第２回動支点４０ｂを設けている。第２リンク材４４ｂの他端は、第３回動支点４０ｃを設けている。第２リンク材４４ｂの他端は、第３回動支点４０ｃによってスポイラー側取付部材４１に取り付けられている。第２リンク材４４ｂの中間部には、第２リンク材４４ｂが延長部材４３の後方側端部に干渉しないように凹部４４ｃを設けている。
開閉機構にはダンパー４６を設けている。ダンパー４６は、一端をスポイラー取付枠３４に他端を箱側取付部材４２に取り付けている。
【００１９】
図５から図８は、同塵芥収集車の開閉機構の動作を示す図４（ａ）相当図である。開閉機構の閉状態は、スポイラー型部材３０の通常状態であり、開閉機構の開状態は、スポイラー型部材３０を後部扉２１から離間する方向に回動し、後方面材２２又は天面材２４とスポイラー型本体３１との間の空間を拡大させた状態である。
【００２０】
図４（ａ）は開閉機構の閉状態、図５は開け始め状態、図６は開け途中状態、図７及び図８は開口状態を示している。また、図４（ａ）、図５、及び図６は点検カバーの閉状態、図７は点検カバーの第１開状態、図８は点検カバーの第２開状態を示している。
図４（ａ）に示す閉状態（通常状態）では、第２回動支点４０ｂは、第１回動支点４０ａと第３回動支点４０ｃとを結ぶ仮想線よりも、スポイラー回転軸３３側に位置させている。従って、開閉レバー４５を後方側に、すなわち、スポイラー回転軸３３から離間する方向に引かない限り、開動作に移ることはない。
【００２１】
図５では、開閉レバー４５を後方側に、すなわち、スポイラー回転軸３３から離間する方向に引き、第２回動支点４０ｂを、第１回動支点４０ａと第３回動支点４０ｃとを結ぶ仮想線よりも後方側に位置させている。図５に示す状態では、スポイラー型部材３０は後部扉２１から離間する方向に回動している。
【００２２】
図６は、図５の状態から更に開状態が進んだ状態を示している。
図４（ａ）、図５、及び図６に示すように、開閉レバー４５を後方側に引くことで、第１リンク材４４ａは、第１回動支点４０ａを中心に回動する。第１回動支点４０ａを中心に第１リンク材４４ａが回動することで、第１リンク材４４ａの他端に位置する第２回動支点４０ｂは、第１回動支点４０ａを中心として円弧を描きながら上方に移動する。従って、第２回動支点４０ｂを一端に設けている第２リンク材４４ｂは上方に押し上げられる。第２リンク材４４ｂの上方への移動によって、スポイラー取付枠３４は、スポイラー回転軸３３を支点として上方に回動する。
【００２３】
図７及び図８は、図６の状態から開閉レバー４５を斜め上方に押し込んだ状態であり、第２回動支点４０ｂを、第１回動支点４０ａと第３回動支点４０ｃとを結ぶ仮想線よりもスポイラー回転軸３３側に位置させている。従って、開閉レバー４５を後方側に、すなわち、スポイラー回転軸３３から離間する方向に引かない限り、開状態が維持され、閉動作に移行することはない。
なお、仮に開閉レバー４５が意図せずに後方側に引かれた場合であっても、ダンパー４６によって閉動作はゆっくり行われるため、安全性は高い。
【００２４】
図７及び図８に示すように、点検カバー２８は、上方点検カバー２８ｂと下方点検カバー２８ｃとからなる。
上方点検カバー２８ｂの上部両端は、後方面材２２又は天面材２４に対して回動可能に設けている。上方点検カバー２８ｂの下部と下方点検カバー２８ｃの上部とは回動可能に設けている。取手部２８ａは下方点検カバー２８ｃに設けている。
従って、図７に示す点検カバー２８の第１開状態では、取手部２８ａを上方に押し上げ、点検カバー２８によって開口部が開いた状態では、上方点検カバー２８ｂの下部と下方点検カバー２８ｃの上部とが、後方面材２２又は天面材２４から離間するように突出する。
また、点検カバー２８は、第１開状態から、図８に示す点検カバー２８の第２開状態とすることができる。図８に示す点検カバー２８の第２開状態では、下方点検カバー２８ｃの下端を後方面材２２又は天面材２４から離間させることで、また、上方点検カバー２８ｂを後方面材２２又は天面材２４に近接させることで、開口部を更に広げることができる。
【００２５】
図９は同塵芥収集車の点検カバーの動作を示している。
図９では、点検カバー２８の動作と、開口部の高さ方向寸法とを示している。
下方点検カバー２８ｃ１は、点検カバー２８が閉状態を示し、下方点検カバー２８ｃ２は、点検カバー２８の開状態を示し、下方点検カバー２８ｃ３は、点検カバー２８の全開状態を示している。
下方点検カバー２８ｃ２の状態では、開口部の高さ方向寸法はｈ１であり、下方点検カバー２８ｃ３の状態では、開口部の高さ方向寸法はｈ２である。
なお、図９に示す点検カバー２８の動作は、開閉機構の開閉動作に制約を受けることなく行うことができる。
このように、点検カバー２８を上方点検カバー２８ｂと下方点検カバー２８ｃとで構成し、点検カバー２８が開いた状態では、上方点検カバー２８ｂの下部と下方点検カバー２８ｃの上部とが後方面材２２又は天面材２４から離間することで、点検カバー２８の開状態での突出寸法を小さくでき、従って、後方面材２２又は天面材２４とスポイラー型本体３１との間隔が狭くても点検カバー２８を開閉できる。
また、下方点検カバー２８ｃの下端を後方面材２２又は天面材２４から離間させ、上方点検カバー２８ｂを後方面材２２又は天面材２４に近接させ、上方点検カバー２８ｂの下部と下方点検カバー２８ｃの上部とを上方に移動させることで、開口部を更に広げることができる。
【００２６】
なお、塵芥収集車１は、プレス式塵芥収集車であってもよく、プレス式塵芥収集車では、積み込み手段２６は、上下方向に移動するアーム部材と、アーム部材の下端に回転軸を有して所定角度回動する押し込み板とで構成される。
【００２７】
以上のように、本実施例によれば、スポイラー型部材３０又はスポイラー型本体３１の少なくとも一部を、後部扉２１から離間する方向に回動するスポイラー回転軸３３を設けたことで、スポイラー型部材３０又はスポイラー型本体３１の少なくとも一部を、後部扉２１から離間する方向に回動できるので、後方面材２２又は天面材２４とスポイラー型本体３１との間の空間を拡大でき、例えば収納箱２０の内部又は外表面の清掃を行いやすい。
また、本実施例によれば、後部扉２１より上方、後部扉２１の上部、天面材２４の下方、又は天面材２４の一部に点検カバー２８を有し、スポイラー型本体３１の後方面材２２側又は天面材２４側に、点検カバー２８を位置させても、点検カバー２８の操作や、点検カバー２８を開いた状態で行う収納箱２０の内部点検を容易に行える。
【産業上の利用可能性】
【００２８】
本発明は、回転式塵芥収集車、プレス式塵芥収集車のいずれであっても、後方面材又は天面材とスポイラー型本体との間の空間を拡大でき、例えば収納箱の内部又は外表面の清掃を行いやすい。
【符号の説明】
【００２９】
１  塵芥収集車
１０  収容箱
２０  投入箱
２１  後部扉
２１ａ  取手部
２２  後方面材
２３  側面材
２４  天面材
２５  底面材
２６  積み込み手段
２７  サイドカバー
２８  点検カバー
２８ｂ  上方点検カバー
２８ｃ  下方点検カバー
３０  スポイラー型部材
３１  スポイラー型本体
３２  側面接続部
３３  スポイラー回転軸
【図１】
2017206369.tif 000003
【図２】
2017206369.tif 000004
【図３】
2017206369.tif 000005
【図４】
2017206369.tif 000006
【図５】
2017206369.tif 000007
【図６】
2017206369.tif 000008
【図７】
2017206369.tif 000009
【図８】
2017206369.tif 000010
【図９】
2017206369.tif 000011